(57)【要約】【課題】化学接着剤を使用せず、しかも水溶性の検体を可変的に容量採取することができるスポンジ綿棒検体採取具を提供する。【解決手段】棒状体の先端部に細長いスポンジを挿通し、該スポンジに熱により縮小部となる溶着部を、複数のスポンジ吸収部が形成されるように形成し、化学接着剤を使用せず、しかも検体を可変的に容量採取することができるようにした。【選択図】  図１
2015090330.tif 000002
【特許請求の範囲】
【請求項１】
棒状体の先端部に細長いスポンジを挿通し、該スポンジに熱により縮小部となる溶着部を、複数のスポンジ吸収部が形成されるように形成したことを特徴とするスポンジ綿棒検体採取具。
【請求項２】
前記溶着部を複数形成し、これを採取量の目盛とする請求項１記載のスポンジ綿棒検体採取具。
【請求項３】
前記棒状体のスポンジ吸収部に、抜け防止の突起部を形成する請求項１又は２に記載のスポンジ綿棒検体採取具。
【請求項４】
前記スポンジ吸収部には、検体の吸着し易い薬剤又は検体採取部位への挿入を容易とする物質を塗布する請求項１〜３のいずれかに記載のスポンジ綿棒検体採取具。
【請求項５】
前記スポンジ吸収部は、膨潤性スポンジである請求項１〜４のいずれかに記載のスポンジ綿棒検体採取具。
【請求項６】
前記スポンジ吸収部が先端から複数の検体採取部と、該検体を検出する試薬塗布部を含む請求項１〜５のいずれかに記載のスポンジ綿棒検体採取具。
【請求項７】
前記溶着部は、液体が毛細管現象で通過し得る程度の気泡が残るようにし、前記試薬塗布部の上の棒状体に判定、終了を判断するセルロース膜判定テープを巻きつけ、その上に膨潤性スポンジ吸収部と溶着部を設け、該膨潤性スポンジ吸収部の吸水力によって、検体を希釈した液を毛細管現象により、前記セルロース膜判定テープ部まで上昇させる請求項６記載のスポンジ綿棒検体採取具。
【発明の詳細な説明】
【技術分野】
【０００１】
この発明は、溶剤により身体が害される恐れが無く、しかも液状検体を可変的に採取できるスポンジ綿棒検体採取具に関する。
【背景技術】
【０００２】
検体採取具として、従来からスポンジ綿棒のような綿棒が知られている。これは棒状体の先端にスポンジを化学接着剤等を用いて固着したものである。化学接着剤等を用いないとスポンジは直ぐとれてしまうからである。このように化学接着剤を用いているので、これが身体を害する恐れがあった。そればかりか、従来のスポンジ綿棒は、大小便や涙液のような水溶性の検体を可変的に容量採取することはできなかった。
【発明の概要】
【発明が解決しようとする課題】
【０００３】
この発明は、このような点に着目してなされたものであり、化学接着剤を使用せず、しかも水溶性の検体を可変的に容量採取することができるスポンジ綿棒を提供することを目的とする。しかして従来このような綿棒は全く知られていないし、このような発想も知られていない。
【０００４】
上記目的に沿う本発明の構成は、棒状体の先端部に細長いスポンジを挿通し、該スポンジに熱により縮小部となる溶着部を、複数のスポンジ吸収部が形成されるように形成したことを特徴とする。
【０００５】
前記溶着部を複数形成し、これを採取量の目盛とするのが好ましい（請求項２）。
【０００６】
前記棒状体のスポンジ吸収部に、抜け防止の突起部を形成するのが完全に抜け防止が達成されることから好ましい（請求項３）。
【０００７】
前記スポンジ吸収部には、検体の吸着し易い薬剤又は検体採取部位への挿入を容易とする物質を塗布しておくのが、採取する検体によっては好ましい（請求項４）。
【０００８】
前記スポンジ吸収部は、膨潤性スポンジとするのが、これを検体希釈液中に浸漬した際、膨潤によって採取した検体の放出を容易とすることから好ましい（請求項５）。
【０００９】
前記スポンジ吸収部が、先端から複数の検体採取部と、該検体を検出する試薬塗布部とを含むようにするのが、検査が容易となることから好ましい（請求項６）。
【００１０】
前記溶着部は、液体が毛細管現象で通過し得る程度の気泡が残るようにし、前記試薬塗布部の上の棒状体に判定、終了を判断するセルロース膜判定テープを巻きつけ、その上に膨潤性スポンジ吸収部と溶着部を設け、該膨潤性スポンジ吸収部の吸水力によって、検体を希釈した液を毛細管現象により、前記セルロース膜判定テープ部まで上昇させるようにするのが、正確に判定できることから好ましい（請求項７）。
【発明の効果】
【００１１】
本発明によれば、１本の綿棒で検体を２倍、３倍と採取できるので、容易に適切な発色とする採取量を決めることができる。
【図面の簡単な説明】
【００１２】
【図１】（Ａ）は本発明の一実施例を示す図であり、（Ｂ）は、（Ａ）の断面図である。
【図２】（Ａ）は本発明の綿棒の吸着部２個を検体中に浸漬した状態を示す断面図であり、（Ｂ）は本発明の綿棒の吸着部３個を検体中に浸漬した状態を示す断面図である。
【図３】本発明の綿棒の他の実施例を示す断面図である。
【図４】本発明の綿棒の他の実施例を示す図である。
【図５】本発明の綿棒の他の実施例を示す図であり、（Ａ）は２個の検体吸収部まで検体希釈液を浸漬した状態を示すものであり、（Ｂ）は試薬を付着させたスポンジ吸収部まで検体希釈液を浸漬した状態を示すものであり、（Ｃ）は判定、終了状態を示すものである。
【図６】（Ａ）は本発明の綿棒を示す図であり、（Ｂ）は本発明の綿棒を検体希釈液中に浸漬した状態を示す断面図である。
【符号の説明】
【００１３】
１                本発明の綿棒
２                棒状体（把手軸）
３                溶着部
４                スポンジ吸収部
５                検体
６                抜け防止の突起
７                検体の吸着し易い薬剤又は検体採取部位への挿入を容易  とする物質
８                判定テープ
９                検体希釈液
１０                判定テープの判定部
１１                判定テープの終了表示部
【発明を実施するための形態】
【００１４】
次に、本発明の実施の形態を、添付図面に基づいて詳細に説明する。
【００１５】
図１は本発明の綿棒１を示すものであり、把手軸となる棒状体２の先端に細長い円柱状スポンジを挿通し、熱により縮小部となる溶着部３を、４個のスポンジ吸収部４が形成されるように４個形成した例を示す。
【００１６】
図２（Ａ）は、スポンジ吸収部４を２個検体５中に浸漬した状態を示すものであり、図２（Ｂ）は、スポンジ吸収部４を３個検体５中に浸漬した状態を示すものである。このように溶着部３を目盛として、２倍、３倍と可変的に検体を採取することができる。
【００１７】
本発明の綿棒は、加熱溶着により棒状体に固定しているが、採取部によっては、抜ける恐れがあるので、図３に示すように、棒状体２のスポンジ吸収部４に抜け防止の突起６を形成するのが好ましい。特に、毛細管現象によって検体希釈液が上昇するようにする場合は、溶着部３は、完全に溶着しないで気泡が一部残った導通性状態とするので、抜け防止の突起６を形成するのが良い。
【００１８】
図４に示すように、スポンジ吸収部４には、検体の吸着し易い薬剤又は検体採取部位への挿入を容易とする物質７を塗布しておくのが、採取する検体によっては好ましい。例えば、肛門に挿入する場合は、挿入を容易とする物質を塗っておくのが好ましい。塗るスポンジ吸収部の個数及び部位は、特に限定されない。しかしながら、検査部位への挿入を容易とする場合は、少なくとも先端部には、塗るようにする。
【００１９】
図５は、本発明の綿棒の他の実施例を示すものであり、図５（Ａ）に示すように、棒状体２の先端にスポンジを挿通し、熱により縮小部となる溶着部３を３個形成し、先端から２個のスポンジ吸収部４を検体付着部とし、３個目のスポンジ吸収部４を試薬付着部としている。試薬付着部の上の棒状体２には、セルロース膜判定テープ８が巻きつけられている。セルロース膜判定テープ８の上には、１個の膨潤性スポンジ吸収部４が溶着部３で固定されている。
【００２０】
図５（Ａ）に示すように、２個の検体付着部が検体希釈液９中に浸漬する状態とする、その後図５（Ｂ）に示すように、試薬付着部が検体希釈液９中に浸漬するように綿棒１を検体希釈液９中に押し込む。この時点で試薬付着部の色の変化で検体の検査をすることができる。判定テープ８はセルロース膜であるので、毛細管現象によって、検体希釈液９は判定テープ８を上昇する。
【００２１】
セルロース膜判定テープ８には、判定と終了を判断する薬剤が細いリング状に含有されている。この判定部１０の着色の有無再度検体の検査の判定をする。更に検体希釈液が終了表示部１１まで上昇すると、終了表示部１１は着色し、検査の終了を表示する。膨潤性スポンジ吸収部４は、吸水力が強いので、検体希釈液９を上昇するようにしている。
【００２２】
このように試薬と判定部１０との２種の別の方法で、検体の陽性、陰性の判断をしているので、正確な判定をすることができる。
【００２３】
図６に示すように、スポンジ吸収部４は、膨潤性スポンジとするのが、好ましい。スポンジ吸収部４を検体希釈液９中に浸漬する際、膨潤によって検体の放出が容易となるからである。尚、膨潤性スポンジは、吸水により膨張するものであり、市販されている。
【産業上の利用可能性】
【００２４】
本発明によれば、１本の綿棒で検体を２倍、３倍と採取できるので、容易に適切な発色とする採取量を決めることができるから、その利用が期待される。
【図１】
2015090330.tif 000003
【図２】
2015090330.tif 000004
【図３】
2015090330.tif 000005
【図４】
2015090330.tif 000006
【図５】
2015090330.tif 000007
【図６】
2015090330.tif 000008